【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
第１リードフレームと、
前記第１リードフレームから離隔した第２リードフレームと、
前記第１及び第２リードフレームの上に配置され、前記第１リードフレームの上部面の一部を露出させる第１キャビティと、前記第２リードフレームの上部面の一部を露出させる第２キャビティと、を含む胴体と、
前記第１リードフレームの上部面の露出した一部上に配置された発光素子と、
前記第２リードフレームの上部面の露出した一部上に配置された保護素子と、
前記保護素子に連結された第１端部と、前記第１リードフレームの上部面の露出した一部に連結された第２端部を有するワイヤと、
前記保護素子の上に反射モールディング部と、
を含み、
前記第２キャビティは、前記第１キャビティの傾斜した内部面に配置され、
前記反射モールディング部は、前記保護素子、前記ワイヤの第２端部が連結された前記第１リードフレームの露出した一部及び前記第１キャビティの傾斜した内部面の一部を覆うように配置され、
前記第１リードフレームの上部面の露出した一部の面積は、前記胴体の総面積の４０％以下であることを特徴とする、発光素子パッケージ。
【請求項２】
前記第１キャビティは、相互対向する第１内部面と第２内部面、及び相互対向する第３内部面と第４内部面と、を含み、
前記反射モールディング部の第１境界部は、前記第１キャビティの第１内部面と前記反射モールディング部の第１端部の間に位置し、
前記反射モールディング部の第２境界部は、前記第１キャビティの第４内部面と前記反射モールディング部の第２端部の間に位置し、
前記反射モールディング部の第３境界部は、前記第１境界部と前記第２境界部の間に連結され、
前記反射モールディング部の第３境界部は、前記第１リードフレームの上部面の露出した一部上に配置されることを特徴とする、請求項１に記載の発光素子パッケージ。
【請求項３】
前記第１キャビティは、相互対向する第１内部面と第２内部面、及び相互対向する第３内部面と第４内部面と、を含み、
前記第１キャビティの第１〜第４内部面は、前記第１リードフレームの上部面のエッジに沿って配置されることを特徴とする、請求項１に記載の発光素子パッケージ。
【請求項４】
前記第１キャビティは、相互対向する第１内部面と第２内部面、及び相互対向する第３内部面と第４内部面と、を含み、
前記反射モールディング部の第１境界部は、前記第１キャビティの第１内部面と前記反射モールディング部の第１端部の間に位置し、
前記反射モールディング部の第２境界部は、前記第１キャビティの第４内部面と前記反射モールディング部の第２端部の間に位置し、
前記反射モールディング部の第３境界部は、前記第１境界部と前記第２境界部の間に連結され、
前記反射モールディング部の第３境界部は、前記第１リードフレームの上部面の露出した一部上に配置され、
前記反射モールディング部の第３境界部は、前記第１キャビティの第１内部面と前記発光素子の第１側面の間に配置され、
前記発光素子の第１側面は、前記第１キャビティの第１内部面と対向することを特徴とする、請求項１に記載の発光素子パッケージ。
【請求項５】
前記第１キャビティは、相互対向する第１内部面と第２内部面、及び相互対向する第３内部面と第４内部面と、を含み、
前記反射モールディング部の第１境界部は、前記第１キャビティの第１内部面と前記反射モールディング部の第１端部の間に位置し、
前記反射モールディング部の第２境界部は、前記第１キャビティの第４内部面と前記反射モールディング部の第２端部の間に位置し、
前記反射モールディング部の第３境界部は、前記第１境界部と前記第２境界部の間に連結され、
前記反射モールディング部の第３境界部は、前記第１リードフレームの上部面の露出した一部上に配置され、
前記反射モールディング部の第３境界部は、前記発光素子の第１側面と平行するように配置されることを特徴とする、請求項１に記載の発光素子パッケージ。
【請求項６】
前記反射モールディング部は、前記第１キャビティの傾斜した内部面の一部と垂直方向に重なることを特徴とする、請求項１から５のいずれか一項に記載の発光素子パッケージ。
【請求項７】
前記反射モールディング部は、前記第１リードフレームと前記第２リードフレームと垂直方向に重なることを特徴とする、請求項１から６のいずれか一項に記載の発光素子パッケージ。
【請求項８】
前記第１リードフレームと前記第２リードフレームの間に配置されたスペーサーを含み、
前記第１キャビティの傾斜した内部面の一部は、前記スペーサーの上面上に配置されることを特徴とする、請求項１から７のいずれか一項に記載の発光素子パッケージ。
【請求項９】
前記反射モールディング部は、前記スペーサーの上部面に延長されることを特徴とする、請求項８に記載の発光素子パッケージ。
【請求項１０】
第１リードフレームと、
前記第１リードフレームと離隔した第２リードフレームと、
前記第１リードフレームと前記第２リードフレームの上に胴体と、
前記第１リードフレームと前記第２リードフレームの間にスペーサーと、
前記第１リードフレームの上に配置された発光素子と、
前記第２リードフレームの上に配置された保護素子と、
前記保護素子の上に反射モールディング部と、
を含み、
前記胴体は、前記第１リードフレームの上部面の一部を露出する第１キャビティを含み、
前記発光素子は、前記第１キャビティ内に配置され、
前記第１キャビティは、相互対向する第１内部面と第２内部面、及び相互対向する第３内部面と第４内部面と、を含み、
前記反射モールディング部は、前記スペーサーと前記第１内部面上に配置され、
前記反射モールディング部の一部は、前記第１キャビティの底に露出した前記第１リードフレームの上部面に延長され、
前記反射モールディング部は、前記スペーサーの上部面の全体領域を覆い、
前記第１リードフレームの上部面の露出した一部の面積は、前記胴体の総面積の４０％以下であることを特徴とする、発光素子パッケージ。
【請求項１１】
前記第１内部面は、前記発光素子と第２キャビティの間の境界部を含み、
前記境界部は、前記保護素子の高さより高い高さを有することを特徴とする、請求項１０に記載の発光素子パッケージ。
【請求項１２】
前記保護素子は、前記第１キャビティの第１内部面内に配置されることを特徴とする、請求項１１または１２に記載の発光素子パッケージ。
【請求項１３】
前記保護素子は、前記第１内部面の第２キャビティ内に配置されることを特徴とする、請求項１２に記載の発光素子パッケージ。
【請求項１４】
前記第１内部面は、前記境界部の上部面と同じ角度で傾斜したことを特徴とする、請求項１２または１３に記載の発光素子パッケージ。
【請求項１５】
前記第１キャビティの第２、３及び４内部面と前記反射モールディング部は、前記第１リードフレームの上部面のエッジに沿って配置されることを特徴とする、請求項１４に記載の発光素子パッケージ。
【請求項１６】
前記第１キャビティの底面上で、前記反射モールディング部と前記発光素子の間の間隔は、前記第１キャビティの底面の幅の３．３％以下であることを特徴とする、請求項１から１５のいずれか一項に記載の発光素子パッケージ。
【請求項１７】
前記間隔は３０μｍ〜１００μｍの範囲であることを特徴とする、請求項１６に記載の発光素子パッケージ。